(57)【特許請求の範囲】
【請求項１】
紐状体が挿通可能な少なくとも一つの紐状体挿通部を有するバックルであって、
一つ方向に延び互いに向い合う部位である並設部を有し、
前記並設部同士の間には隙間が形成され、
前記並設部の並設方向と互いに平行な回動中心線を有して前記隙間で回動可能に前記並設部に支持されるホイッスル部材を備え、
前記ホイッスル部材の吹き込み口は、前記ホイッスル部材の回動によって、前記隙間に収まる収納状態と前記隙間の外側に突出する突出状態とを有する
ことを特徴とするバックル。
【請求項２】
脚部が延設された雄側基部を有する雄部材と、
筒部が延設された雌側基部を有する雌部材とを備え、
前記脚部が前記筒部に脱着可能に挿着される
請求項１に記載のバックル。
【請求項３】
前記雄部材が、２つの前記脚部を有し、
前記並設部が、２つの前記筒部である
請求項２に記載のバックル。
【請求項４】
前記並設部が延設された並設基部を備え、
前記吹き込み口は、
前記収納状態において前記並設基部と互いに向い合う
請求項１〜３のいずれか一項に記載のバックル。
【請求項５】
前記並設部同士の間に前記並設部同士を互いに連結する壁である底面壁を備え、
前記収納状態では、前記並設部と前記底面壁とによって構成される凹部内に前記吹き込み口が収まる
請求項１〜４のいずれか一項に記載のバックル。
【請求項６】
前記ホイッスル部材は、
前記収納状態において前記底面壁と互いに向かい合う吹き出し口を有する
請求項５に記載のバックル。
【請求項７】
前記並設部が延設された並設基部を備え、
前記ホイッスル部材は、
前記並設部の延設方向に延びる有底筒体であり、
前記有底筒体の基端には前記収納状態において前記並設基部に向く筒開口である前記吹き込み口が形成され、前記有底筒体の先端には前記ホイッスル部材の前記回動中心線が形成されている
請求項１〜６のいずれか一項に記載のバックル。
【請求項８】
前記並設部が延設された並設基部を備え、
前記並設基部が前記雌側基部であり、
前記吹き込み口は、
前記収納状態において前記並設基部と互いに向い合い、
前記ホイッスル部材は、
前記並設部の延設方向に延びる有底筒体であり、
前記有底筒体の基端には前記収納状態において前記並設基部に向く筒開口である前記吹き込み口が形成され、
前記有底筒体の先端には前記ホイッスル部材の前記回動中心線が形成され、前記雄側基部に向けて延びる回動操作レバーを先端に有し、
前記雄側基部は、
前記回動操作レバーが回動する逃げ凹部を有する
請求項２に記載のバックル。
【請求項９】
前記ホイッスル部材が、被係止部を有し、
前記並設部が、係止部を有し、
前記収納状態では、前記係止部と前記被係止部とが解除可能に係合して前記ホイッスル部材の回動を係止する一方、
前記突出状態では、前記係止部と前記被係止部とが係合しない
請求項１〜８のいずれか一項に記載のバックル。
【請求項１０】
前記ホイッスル部材は、
色彩及び模様の少なくとも一つが前記並設部と互いに異なる
請求項１〜９のいずれか一項に記載のバックル。
【請求項１１】
前記ホイッスル部材は、
前記収納状態において前記並設部の間から露出する外表面に、前記並設部の表面形状に倣う形状を有する
請求項１〜１０のいずれか一項に記載のバックル。
【発明の詳細な説明】
【技術分野】
【０００１】
本発明は、紐状体が挿通可能な少なくとも一つの紐状体挿通部を有するバックルに関するものであって、特にホイッスル部材を有するバックルに関する。
【背景技術】
【０００２】
リュックサックやバック等のベルトにおける連結具として、例えば特許文献１に記載のように、ホイッスルが一体に形成されたバックルが知られている。図１１は、こうしたバックルの一例を示す分解斜視図である。
【０００３】
図１１に示されるように、雄部材５０にて直方体形状をなす雄側基部５１には、膨大した先端部を有して互いに向い合う左右一対の脚部５２が、一方向に沿って延設されている。他方、左右両側が括れた扁平筒状をなす雌部材６０の先端側には、上記左右一対の脚部５２が挿脱される楕円孔形状の挿脱孔６１が、該脚部５２の延設方向に沿って形成されている。この雌部材６０の外周壁にて括れた部分には、挿脱孔６１と連通する左右一対の係止孔６２が、左右方向で互いに向い合うように形成されている。そして、ベルトＫが掛け止めされる雌部材６０の雌側基部には、左右方向に延びるホイッスル６３が一体に形成されている。
【０００４】
こうした構成からなるバックルにおいて、雄部材５０の脚部５２が雌部材６０の挿脱孔６１に差し込まれると、脚部５２における膨大した先端部が係止孔６２から突出し、これにより雄部材５０と雌部材６０とが互いにロックされる。そして、被災時や緊急時などでは、ホイッスル６３の吹き込み口から空気が吹き込まれることで、ホイッスルが鳴らされる。なお、こうしたロック状態から、脚部５２の先端部が挿脱孔６１内に押し戻されると、雄部材５０と雌部材６０とのロックが解除され、脚部５２が挿脱孔６１から引き抜き可能になる。
【先行技術文献】
【特許文献】
【０００５】
【特許文献１】米国特許ＵＳ６６６８４２８号
【発明の概要】
【発明が解決しようとする課題】
【０００６】
ところで、上述したバックルの使用される環境とは、気温や天候の変化が激しい屋外であることが少なくなく、特にホイッスルが頻繁に使用される被災時や緊急時となれば、その可能性が非常に高いものとなる。この点、ホイッスル６３が雌部材６０に一体に形成される上記構成では、ホイッスル６３の吹き込み口がバックルの外側に露出するため、大気中に含まれる塵、埃、泥、雪等の異物が吹き込み口に付着する虞が高く、それゆえにホイッスルの利用に際して衛生面を向上させることが強く求められている。
なお、上述した問題は、雄部材と雌部材とから構成されるバックルに限らず、一つのリングやコードストッパーなど、紐状体が挿通可能な少なくとも一つの紐状体挿通部を有するバックルにて概ね共通する問題である。
本発明は、こうした実情に鑑みてなされたものであり、その目的は、ホイッスルの利用に際して衛生面を高めることの可能なバックルを提供することにある。
【課題を解決するための手段】
【０００７】
本発明の態様の一つは、紐状体が挿通可能な少なくとも一つの紐状体挿通部を有するバックルであって、一つ方向に延び互いに向い合う部位である並設部を有し、前記並設部同士の間には隙間が形成され、前記並設部の並設方向と互いに平行な回動中心線を有して前記隙間で回動可能に前記並設部に支持されるホイッスル部材を備え、前記ホイッスル部材の吹き込み口は、前記ホイッスル部材の回動によって、前記隙間に収まる収納状態と前記隙間の外側に突出する突出状態とを有する。
【０００８】
上記態様によれば、ホイッスル部材が使用されるときに、吹き込み口が並設部の間から突出する。一方、ホイッスル部材が使用されないときには、吹き込み口が並設部の間に収まることになる。このような態様であれば、ホイッスル部材が使用されないときに、吹き込み口が並設部で覆われる分、ホイッスル部材の利用に際して衛生面を高めることが可能となる。
【０００９】
本発明の態様の一つは、脚部が延設された雄側基部を有する雄部材と、筒部が延設された雌側基部を有する雌部材とを備え、前記脚部が前記筒部に脱着可能に挿着される。
上記態様によれば、互いに異なる一対の部材である雄部材と雌部材とから構成されるバックルにおいて、上述のようにホイッスル部材の利用に際して衛生面を高めることが可能となる。
【００１０】
本発明の態様の一つは、前記雄部材が、２つの前記脚部を有し、前記並設部が、２つの前記筒部である。
上記態様によれば、２つの脚部と２つの筒部との係合によって雄部材と雌部材とが互いに連結される。それゆえに、１つの脚部と１つの筒部との係合によって雄部材と雌部材とが互いに連結される態様と比較して、雄部材と雌部材との連結状態の安定性を高めることが可能となる。
【００１１】
本発明の態様の一つは、前記並設部が延設された並設基部を備え、前記吹き込み口は、前記収納状態において前記並設基部と互いに向い合う。
上記態様によれば、収納状態の吹き込み口が並設基部に向けて開口するため、ホイッスル部材が使用されないときには、吹き込み口の周囲が、並設部と並設基部とによって囲まれることとなる。その結果、吹き込み口に異物が付着することを、より効果的に抑えることが可能である。
【００１２】
なお、雄部材と雌部材とからバックルが構成され、並設基部が雌側基部となる場合には、ホイッスル部材の吹き込み口が、雌側基部と向い合うのではなく、例えば並設部と向かい合う態様であっても、吹き込み口が並設部で覆われる以上、吹き込み口に異物が付着することを抑えることは可能である。ただし、吹き込み口が並設部と向かい合う態様では、ホイッスル部材を使用する際に、以下のような不都合が生じる。
【００１３】
すなわち、雄部材と雌部材とから構成されるバックルとは、並設部の延設方向が身体表面と略平行になる態様で利用者の身につけられることが少なくない。そして、２つの並設部のいずれか一方が利用者の口に近い側に配置され、且つ他方が利用者の口から遠い地面側に配置されることも少なくない。この点、吹き込み口と向かい合う並設部が利用者の口に対して近い側であれば、すなわち突出する吹き込み口が利用者に向くような配置の態様であれば、こうした吹き込み口に空気を吹き込むことは容易である。しかし、吹き込み口と向かい合う並設部が利用者の口に対して遠い側となれば、すなわち吹き込み口が地面に向けて開口するような配置の態様となれば、吹き込み口を利用者の口に向けるという作業が、利用者には別途強いられることとなる。
【００１４】
この点、上述した態様であれば、並設基部である雌側基部に向けて吹き込み口が開口するため、ホイッスル部材を利用する際には、並設部のいずれが利用者の口に対して近い側であっても、吹き込み口は、利用者から見た前方、あるいは利用者の後方に向けて開口することになる。そのため、前方あるいは後方に向けて開口した吹き込み口を上側に向けるだけで、吹き出し口を利用者の口に向けることが可能となる。それゆえに、ホイッスル部材の利用に際してその利便性を高めることが可能でもある。
【００１５】
本発明の態様の一つは、前記並設部同士の間に前記並設部同士を互いに連結する壁である底面壁を備え、前記収納状態では、前記並設部と前記底面壁とによって構成される凹部内に前記吹き込み口が収まる。
【００１６】
上記態様によれば、収納状態のホイッスル部材は、並設部に加え、底面壁とも互いに向い合う。そして、ホイッスル部材が使用されないときには、ホイッスル部材の外表面が、これら並設部及び底面壁の各々で覆われるため、ホイッスル部材の利用に際して、ホイッスル部材そのものの衛生面を高めることが可能となる。
【００１７】
本発明の態様の一つでは、前記ホイッスル部材は、前記収納状態において前記底面壁と互いに向かい合う吹き出し口を有する。
上記態様によれば、収納状態のホイッスル部材では、吹き出し口が底面壁に向くことになる。このような態様であれば、ホイッスル部材が使用されないときに、吹き込み口に異物が付着することに加え、吹き出し口に異物が付着することも抑えられる。それゆえに、ホイッスル部材の吹き出し口が異物で塞がれること、さらにはホイッスル部材の内部に異物が堆積すること、それらを抑えることが可能でもある。
【００１８】
本発明の態様の一つでは、前記並設部が延設された並設基部を備え、前記ホイッスル部材は、前記並設部の延設方向に延びる有底筒体であり、前記有底筒体の基端には前記収納状態において前記並設基部に向く筒開口である前記吹き込み口が形成され、前記有底筒体の先端には前記ホイッスル部材の前記回動中心線が形成されている。
【００１９】
上記態様によれば、ホイッスル部材の先端が回動中心線を有し、またホイッスル部材の基端が吹き込み口を有する。このような態様であれば、ホイッスル部材の先端と基端との間に回動中心線が配置される態様と比較して、ホイッスル部材の回動に際して、吹き込み口の移動する範囲を大きくすることが可能である。そして、並設部の間に吹き込み口が挟まれる態様であっても、ホイッスル部材が使用されるときには、吹き込み口を並設部の間から大きく離間させることが可能である。そのため、ホイッスル部材の利用に際して、衛生面を高めつつ、その利便性を高めることが可能でもある。
【００２０】
本発明の態様の一つでは、前記ホイッスル部材は、前記並設部の延設方向に延びる有底筒体であり、前記有底筒体の基端には前記収納状態において前記並設基部に向く筒開口である前記吹き込み口が形成され、前記有底筒体の先端には前記ホイッスル部材の前記回動中心線が形成され、前記雄側基部に向けて延びる回動操作レバーを先端に有し、前記雄側基部は、前記回動操作レバーが回動する逃げ凹部を有する。
【００２１】
上記態様によれば、ホイッスル部材の先端には、雄側基部に向けて延びる回動操作レバーが形成され、この回動操作レバーが回動するための逃げ凹部が、雄側基部に形成されている。このような態様であれば、ホイッスル部材の基端に形成された吹き込み口に触れることなく、収納状態のホイッスル部材を突出状態にすることが可能であって、こうしたホイッスル部材の回動操作を回動操作レバーの操作によって実現することが可能である。それゆえに、ホイッスル部材の利用に際して、衛生面を高めつつ、その利便性を高めることが可能でもある。
【００２２】
本発明の態様の一つでは、前記ホイッスル部材が、被係止部を有し、前記並設部が係止部を有し、前記収納状態では、前記係止部と前記被係止部とが解除可能に係合して前記ホイッスル部材の回動を係止する一方、前記突出状態では、前記係止部と前記被係止部とが係合しない。
【００２３】
上記態様によれば、収納状態では、並設部の係止部とホイッスル部材の被係止部とが係合することによって、ホイッスル部材の回動が係止される。このような態様であれば、係止部と被係止部との係合が解除されるまで、並設部の間に吹き込み口が保持されることになる。そして、ホイッスル部材の吹き込み口が並設部の間から不要に突出することが抑えられるため、上述した効果を高い確率で得ることが可能である。
【００２４】
本発明の態様の一つでは、前記ホイッスル部材は、色彩及び模様の少なくとも一つが前記並設部と互いに異なる。
上記態様によれば、並設部とホイッスル部材との境界が、色彩及び模様の少なくとも一つによって視認することが可能となる。それゆえに、ホイッスル部材の利用に際して、ホイッスル部材の視認性を高めること、ひいてはホイッスル部材を操作することが容易なものとなる。
【００２５】
本発明の態様の一つでは、前記ホイッスル部材は、前記収納状態において前記並設部の間から露出する外表面に、前記並設部の表面形状に倣う形状を有する。
【００２６】
上記態様によれば、前記並設部の間におけるホイッスル部材の外表面が、前記並設部の表面形状に倣うかたちに形成される。このような態様であれば、ホイッスル部材の外表面と前記並設部の表面との間に段差が形成される場合と比較して、これら並設部とホイッスル部材との間に異物が入り込むことを抑えることが可能である。それゆえに、ホイッスル部材が使用されないときでは、該ホイッスル部材に異物が付着することをさらに抑えることが可能でもある。
【図面の簡単な説明】
【００２７】
【図１】本発明の第一実施形態におけるバックルを構成する各構成部材の平面構造を示す分解図であって、ホイッスルが取り外された状態の雌部材と雄部材とを示し、雌部材ではその一部が切り欠かれた状態を示す図。
【図２】同じくバックルの斜視構造を示す斜視図であって、（ａ）吹き込み口が一対の筒体の間に収納された収納状態のバックルを示す図、（ｂ）吹き込み口が一対の筒体の間から突出した突出状態のバックルを示す図。
【図３】本発明の第二実施形態におけるバックルを構成する各構成部材の平面構造を示す分解図であって、ホイッスルが取り外された状態の雌部材と雄部材とを示し、雌部材ではその一部が切り欠かれた状態を示す図。
【図４】同じくバックルの斜視構造を示す斜視図であって、（ａ）吹き込み口が収納凹部に収納された収納状態のバックルを示す図、（ｂ）吹き込み口が収納凹部から突出した突出状態のバックルを示す図。
【図５】変形例におけるトリグライドバックルの斜視構造を示す斜視図。
【図６】変形例におけるリングバックルの斜視構造を示す斜視図。
【図７】変形例におけるラダーバックルの斜視構造を示す斜視図。
【図８】変形例におけるコードロックバックルの斜視構造を示す斜視図。
【図９】変形例におけるコードストッパバックルの斜視構造を示す斜視図。
【図１０】変形例におけるフックバックルの斜視構造を示す斜視図。
【図１１】従来例におけるバックルを構成する雄部材と雌部材の各々の斜視構造を示す分解斜視図。
【発明を実施するための形態】
【００２８】
（第一実施形態）
以下、本発明におけるバックルの第一実施形態について図１を参照して説明する。
【００２９】
図１の下側に示されるように、平面視方向から見てＵ字形状をなす雄部材１０では、該雄部材１０の基部である雄側基部１１が、幅方向に延びる矩形環状に形成されている。この雄側基部１１には、幅方向に延びる紐状体挿通部としての楕円形孔状の雄側スリット１１Ｈが平面視方向に貫通し、該雄側スリット１１Ｈには、バックルが用いられるリュックサックやバックなどの図示されないベルトが掛け止めされる。
【００３０】
雄側基部１１の幅方向における両端部には、互いに向かい合う左右一対の脚部１２が、幅方向と直交する挿入方向に延設されている。左右一対の脚部１２の各々は、幅方向における肉厚が小さいかたちの第一ヒンジ部１３を基端側である雄側基部１１側に有し、該第一ヒンジ部１３を撓曲部位とした撓曲を可能にしている。また、左右一対の脚部１２の各々は、第一ヒンジ部１３の先端から挿入方向に向けて幅方向の内側に膨大する先端部１４を有し、さらに該先端部１４と第一ヒンジ部１３との連結部位の外側に、挿入方向とは反対方向に先細りした被係止突起１５を有している。
【００３１】
雄側基部１１における挿入方向の端面うち、左右一対の脚部１２で挟まれた部分には、三角錐台状の左右一対のガイド突起１６が、雄側基部１１から挿入方向に突設されている。右側のガイド突起１６における右側面は、右側の第一ヒンジ部１３が左側へ撓曲可能な傾斜を有し、また、左側のガイド突起１６における左側面は、左側の第一ヒンジ部１３が右側へ撓曲可能な傾斜を有している。右側のガイド突起１６における左側面と右側の第一ヒンジ部１３における右側面との距離である嵌合幅Ｗは、左側のガイド突起１６における右側面と左側の第一ヒンジ部１３における左側面との距離と等しい。
【００３２】
雄側基部１１における挿入方向の端面うち、左右一対のガイド突起１６で挟まれた部分には、左右一対のガイド突起１６から挿入方向とは反対側に窪んだ逃げ凹部１１Ｂが凹設されている。逃げ凹部１１Ｂは、左右一対のガイド突起１６で挟まれた部分の幅方向の全体にわたり形成されている。雄側基部１１の外表面のうち、上記逃げ凹部１１Ｂと上記雄側スリット１１Ｈとで挟まれる部分には、雄側基部１１における幅方向の両側端部から紙面奥側へ窪む操作凹部１１ａが形成されている。操作凹部１１ａは、親指や人差し指が挿入方向に沿って操作凹部１１ａ上に配置されるとき、該指の指紋面に倣う滑らかな凹曲面形状に形成されている。
【００３３】
図１の上側に示されるように、平面視方向から見て逆Ｕ字状をなす雌部材２０では、該雌部材２０の基部である並設基部としての雌側基部２１が、２つの矩形環が挿入方向に連結されたかたちに形成されている。この雌側基部２１には、幅方向に延びる矩形孔状の紐状体挿通部としての２つのスリット２１Ｈが平面視方向に貫通し、該スリット２１Ｈには、バックルが用いられるリュックサックやバックなどのベルトが掛け止めされる。
【００３４】
雌側基部２１の幅方向における両端部には、並設部を構成する一対の筒部２２が挿入方向とは反対の方向に延設されている。左右一対の筒部２２の各々には、上述した脚部１２の挿脱可能な矩形孔状の脚部挿脱孔２３が、挿入方向に沿って延設されている。左右一対の脚部挿脱孔２３の各々における幅方向の大きさは、上述した嵌合幅Ｗと等しく、右側の脚部挿脱孔２３は、右側の第一ヒンジ部１３が右側のガイド突起１６と共々嵌脱可能な大きさであり、また左側の脚部挿脱孔２３は、左側の第一ヒンジ部１３が左側のガイド突起１６と共々嵌脱可能な大きさである。また、左右一対の筒部２２の各々では、該筒部２２における挿入方向の中央が、幅方向の内側に括れており、筒部２２の外側と脚部挿脱孔２３内と連通する係止孔２４が、該括れた部分に貫通している。
【００３５】
そして、左右一対の脚部１２の各々が、左右一対の脚部挿脱孔２３に対して挿入方向に差し込まれると、左右一対の先端部１４の各々が、幅方向の内側に撓みつつ脚部挿脱孔２３内を挿入方向に移動する。その後、左右一対の先端部１４の各々が、左右一対の係止孔２４に到達すると、左右一対の先端部１４の各々が、幅方向の外側に戻り、左右一対の先端部１４における被係止突起１５と係止孔２４の開口縁２５とが係合する。これにより、雄部材１０における挿入方向とは反対方向への移動が係止され、雄部材１０と雌部材２０とが互いにロックされる。そして、こうしたロック状態から、左右一対の脚部１２における先端部１４が、指によって幅方向の内側に押圧されて脚部挿脱孔２３内に押し戻されると、雄部材１０と雌部材２０とのロックが解除され、脚部１２が脚部挿脱孔２３から引き抜き可能になる。
【００３６】
雌部材２０において左右一対の筒部２２の隙間には、これら左右一対の筒部２２を互いに連結する壁である底面壁２６が、紙面奥側に架設されている。底面壁２６は、紙面と平行な平面壁であって、左右一対の筒部２２における挿入方向の全体に架設されている。そして、雌部材２０の幅方向における中央には、これら左右一対の筒部２２と底面壁２６と雌側基部２１とによって区画される収納凹部Ｓが形成されている。
【００３７】
左右一対の筒部２２の各々の周壁のうち、収納凹部Ｓを形成する内側壁の先端側には、幅方向に延びる一対の軸支孔２７が、幅方向に延びる同一直線上に貫通している。また、収納凹部Ｓを構成する上記内側壁のうち、左右一対の軸支孔２７の雌側基部２１側には、幅方向に延びる板状をなす左右一対のホイッスル係止部２８が、収納凹部Ｓ内に向けて突設されている。なお、紙面と直交する方向では、上記左右一対の軸支孔２７は、上記内側壁の略中央を貫通し、また左右一対のホイッスル係止部２８は、上記内側壁における底面壁２６側に突設されている。
【００３８】
雌部材２０が有する収納凹部Ｓ内には、左右一対の筒部２２の延設方向である挿入方向に延びるホイッスル部材３０が組み付けられている。ホイッスル部材３０は、一対の筒部２２と互いに異なる色彩を有して挿入方向に延びる直方体形状の有底筒体であって、挿入方向とは反対方向の端である先端で閉塞されている。また、ホイッスル部材３０における挿入方向の端壁である基端壁には、挿入方向に延びる吹き込み口３４が貫通している。ホイッスル部材３０の挿入方向における大きさは、収納凹部Ｓの挿入方向における大きさよりも若干小さく、またホイッスル部材３０の幅方向における大きさは、収納凹部Ｓの幅方向における大きさよりも若干小さい。
【００３９】
ホイッスル部材３０における左右両側壁の先端には、上記左右一対の軸支孔２７に軸支される左右一対の回動軸３１が、互いに向かい合うように突設されている。そして、ホイッスル部材３０は、一対の筒部２２の並設方向である幅方向と平行な回動中心線を有し、一対の筒部２２の間で回動可能に雌部材２０に支持されている。ホイッスル部材３０の吹き込み口３４は、こうしたホイッスル部材３０の回動によって、一対の筒部２２間に収まって雌側基部２１と互いに向い合う収納状態と、一対の筒部２２間の外側に突出する突出状態とに切り替る。
【００４０】
ホイッスル部材３０における左右両側壁のうち、左右一対の回動軸３１の雌側基部２１側には、幅方向に延びる板状をなす左右一対の被係止部３２が突設されている。これら左右一対の被係止部３２は、上記収納状態において左右一対のホイッスル係止部２８よりも底面壁２６側となる部位に突設されている。そして、ホイッスル部材３０が収納状態にあるときには、ホイッスル係止部２８と被係止部３２とが係合し、ホイッスル部材３０が紙面の手前側に回動することが、これらの係合によって係止される。これに対し、突出状態のホイッスル部材３０が収納状態に移行する際には、ホイッスル係止部２８と被係止部３２との係合に必要とされる負荷により、ホイッスル部材３０が収納状態であるか否かを利用者に認知させることが可能となる。
【００４１】
ホイッスル部材３０は、上記収納状態において一対の筒部２２の間から露出する外表面に、一対の筒部２２の表面形状に倣う形状を有している。一方、ホイッスル部材３０の先端には、挿入方向とは反対方向に延びる回動操作レバー３３が、紙面の手前側に反るかたちに形成されている。回動操作レバー３３は、該回動操作レバー３３が紙面奥側へ押圧されることにより、上記回動中心線がホイッスル部材３０の回動中心となるように、該回動操作レバー３３に作用する作用力をホイッスル部材３０の回動力に変換する。そして、ホイッスル部材３０が収納状態にあるときには、ホイッスル部材３０の外表面のうち、回動操作レバー３３が形成された部分が、一対の筒部２２の外表面から突出することになる。これにより、ホイッスル部材３０が収納状態にあるときには、一対の筒部２２と回動操作レバー３３との段差の触感により、回動操作レバー３３の所在を利用者に認知させることが可能となる。
【００４２】
ホイッスル部材３０の外周壁のうち、底面壁２６と互いに向かい合う底壁には、吹き出し口３５が貫通している。そして、ホイッスル部材３０が収納状態にあるときには、吹き出し口３５の全体が底面壁２６で覆われ、ホイッスル部材３０が突出状態にあるときには、吹き出し口３５の全体が一対の筒部２２の間から突出する。
【００４３】
次に、上記構成からなるバックルの作用について図２を参照して説明する。なお、上記収納状態におけるバックルの作用と突出状態におけるバックルの作用とをこの順に説明する。また、以下では、雄部材１０が雌部材２０に挿着されていることを前提として、ホイッスル部材３０の作用を中心に説明するが、雌部材２０とホイッスル部材３０との組み合わせによる作用は、雄部材１０が雌部材２０から脱着された状態であっても同様である。
【００４４】
図２（ａ）に示されるように、まず、上述した収納状態では、収納凹部Ｓの内部において、上記被係止部３２と上記ホイッスル係止部２８との係合によって、ホイッスル部材３０の回動が係止される。それゆえに、被係止部３２とホイッスル係止部２８との係合が解除されるまでは、一対の筒部２２の間に吹き込み口３４が保持されることになる。
【００４５】
この際、吹き出し口３５の全体が底面壁２６で覆われるため、塵、埃、泥、雪等の異物が含まれる大気中でバックルが使用されるとしても、こうした吹き出し口３５に異物が付着すること、また吹き出し口３５からホイッスル部材３０内に異物が入り込むことが抑えられる。また、ホイッスル部材３０の吹き込み口３４が一対の筒部２２から不要に突出することが抑えられるため、吹き込み口３４が一対の筒部２２で覆われる分、ホイッスル部材３０の利用に際して衛生面が高められる。しかも、吹き込み口３４が雌側基部２１に向けて開口するため、吹き込み口３４の周囲が一対の筒部２２と雌側基部２１とによって囲まれることとなる。その結果、吹き込み口３４に異物が付着することが、より効果的に抑えられる。
【００４６】
なお、ホイッスル部材３０の吹き込み口３４が、雌側基部２１と向い合うのではなく、例えば右側の筒部２２と向かい合う構成であっても、吹き込み口３４が右側の筒部２２で覆われる以上、吹き込み口３４に異物が付着することを抑えることは可能である。ただし、吹き込み口３４が右側の筒部２２と向かい合う構成では、ホイッスル部材３０を使用する際に、以下のような不都合が生じる。
【００４７】
すなわち、上述するバックルとは、一対の筒部２２の延設方向が利用者の体表面と略平行になる態様で利用者の身につけられることが少なくなく、一対の筒部２２の一方が利用者の口に近い側に配置され、且つ他方が利用者の口から遠い地面側に配置されることも少なくない。この点、右側の筒部２２が利用者の口に対して近い側であれば、すなわち吹き込み口３４が利用者の口に向くような配置の態様であれば、こうした吹き込み口３４に空気を吹き込むことは容易である。しかし、吹き込み口３４と向かい合う右側の筒部２２が利用者の口に対して遠い側となれば、すなわち吹き込み口３４が地面に向けて開口するような配置の態様となれば、吹き込み口３４を利用者の口に向けるという作業が、利用者には別途強いられることとなる。
【００４８】
この点、吹き込み口３４が雌側基部２１に向けて開口するため、ホイッスル部材３０を利用する際には、一対の筒部２２のいずれが利用者の口に対して近い側であっても、吹き込み口３４は、利用者から見た前方、あるいは利用者の後方に向けて開口することになる。そのため、前方あるいは後方に向けて開口した吹き込み口３４を上側に向けるという手間だけで、吹き込み口３４を利用者の口に向けることが可能となる。それゆえに、ホイッスル部材３０の利用に際してその利便性を高めることが可能でもある。
【００４９】
そして、被災時や緊急時などでホイッスル部材３０が使用されるとき、上述のような収納状態から回動操作レバー３３が上記逃げ凹部１１Ｂに向けて押圧される。これにより、上記回動中心線がホイッスル部材３０の回動中心となるように、該回動操作レバー３３に作用する作用力がホイッスル部材３０の回動力に変換される。そして、上記被係止部３２と上記ホイッスル係止部２８との係合が回動力によって解除された後、回動操作レバー３３が逃げ凹部１１Ｂ内を回動するとともに、図２（ｂ）に示されるように、吹き込み口３４が一対の筒部２２の間から突出する。
【００５０】
この際、上述した収納状態では、ホイッスル部材３０の外表面が、一対の筒部２２の外表面とは互いに異なる色彩を有しているため、雌部材２０におけるホイッスル部材３０の所在が利用者に視認されやすくなる。また、一対の筒部２２の外表面から回動操作レバー３３が突出するため、一対の筒部２２と回動操作レバー３３との段差の触感により、回動操作レバー３３の所在が利用者に認知されやすくもなる。
【００５１】
そして、ホイッスル部材３０が収納状態から突出状態に移行する過程では、雄側基部１１に操作凹部１１ａが形成されているため、操作凹部１１ａの深さ分、回動操作レバー３３を逃げ凹部１１Ｂで回動させることが容易なものとなる。また、操作凹部１１ａが指の指紋面に倣う滑らかな凹曲面形状に形成されているため、回動操作レバー３３を押圧する指と雄側基部１１との接触による違和感を抑えることが可能でもある。さらに、ホイッスル部材３０の先端が回動中心線を有し、また、ホイッスル部材３０の基端が吹き込み口３４を有するため、ホイッスル部材３０の長手方向の大きさ分、収納凹部Ｓ内から吹き込み口３４を突出させることが可能となる。
【００５２】
最後に、ホイッスル部材３０の使用が終了すると、上述のような突出状態からホイッスル部材３０が収納凹部Ｓに向けて押圧される。これにより、上記回動中心線がホイッスル部材３０の回動中心となるように、該ホイッスル部材３０に作用する作用力がホイッスル部材３０の回動力に変換される。そして、上記被係止部３２と上記ホイッスル係止部２８との係合が回動力によって実現され、ホイッスル部材３０が収納状態となる。
【００５３】
以上説明したように、第一実施形態によれば以下に列記するような効果が得られるようになる。
（１）突出状態では、吹き込み口３４が一対の筒部２２間から突出する一方、収納状態では、吹き込み口３４が一対の筒部２２間に収まることになる。それゆえに、ホイッスル部材３０が使用されないときには、吹き込み口３４が一対の筒部２２で覆われる分、ホイッスル部材３０の利用に際して吹き込み口３４の衛生面を高めることが可能となる。
【００５４】
（２）収納状態の吹き込み口３４が雌側基部２１に向けて開口するため、ホイッスル部材３０が使用されないときには、吹き込み口３４の周囲が一対の筒部２２と雌側基部２１とによって囲まれることとなる。その結果、吹き込み口３４に異物が付着することを、より効果的に抑えることが可能である。
【００５５】
（３）収納状態のホイッスル部材３０は、一対の筒部２２と雌側基部２１とに加え、さらに底面壁２６とも互いに向い合う。そして、ホイッスル部材３０が使用されないときには、ホイッスル部材３０の外表面が、これら一対の筒部２２、雌側基部２１、及び底面壁２６の各々で覆われるため、ホイッスル部材３０の利用に際して、ホイッスル部材３０そのものの衛生面を高めることが可能となる。
【００５６】
（４）収納状態のホイッスル部材３０では、吹き出し口３５が底面壁２６に向くことになるため、ホイッスル部材３０が使用されないときに、吹き込み口３４に異物が付着することに加え、吹き出し口３５に異物が付着することも抑えられる。それゆえに、ホイッスル部材３０の吹き出し口３５が異物で塞がれること、さらにはホイッスル部材３０の内部に異物が堆積すること、それらを抑えることが可能でもある。
【００５７】
（５）ホイッスル部材３０の先端が回動中心線を有し、またホイッスル部材３０の基端が吹き込み口３４を有する。このような構成であれば、ホイッスル部材３０の先端と基端との間に回動中心線が配置される構成と比較して、ホイッスル部材３０の回動に際して、吹き込み口３４の移動する範囲を大きくすることが可能である。そして、一対の筒部２２の間に吹き込み口３４が挟まれる構成であっても、突出状態では、吹き込み口３４を一対の筒部２２から大きく離間させることが可能である。そのため、ホイッスル部材３０の利用に際して、吹き込み口３４の衛生面を高めつつ、その利便性を高めることが可能でもある。
【００５８】
（６）ホイッスル部材３０の先端には、雄側基部１１に向けて延びる回動操作レバー３３が形成され、この回動操作レバー３３が回動するための逃げ凹部１１Ｂが、雄側基部１１に形成されている。このような構成であれば、吹き込み口３４あるいはその近傍に触れることなく、収納状態のホイッスル部材３０を突出状態にすることが可能である。
【００５９】
（７）収納状態では、一対の筒部２２のホイッスル係止部２８とホイッスル部材３０の被係止部３２とが係合することによって、ホイッスル部材３０の回動が係止される。このような構成であれば、ホイッスル係止部２８と被係止部３２との係合が解除されるまで、一対の筒部２２の間に吹き込み口３４が保持されることになる。そして、吹き込み口３４が一対の筒部２２から不要に突出することが抑えられるため、上記（１）〜（６）の効果を高い確率で得ることが可能である。
【００６０】
（８）一対の筒部２２とホイッスル部材３０との境界が、色彩によって視認することが可能であるため、ホイッスル部材３０の利用に際して、ホイッスル部材３０の視認性を高めること、ひいてはホイッスル部材３０を操作することが容易なものとなる。
【００６１】
（９）一対の筒部２２の間におけるホイッスル部材３０の外表面が、一対の筒部２２の表面形状に倣うかたちに形成されているため、これら一対の筒部２２とホイッスル部材３０との間に異物が入り込むことを抑えることが可能である。
【００６２】
（第二実施形態）
以下、本発明におけるバックルの第二実施形態について図３を参照して説明する。なお、第二実施形態とは、第一実施形態に示されたバックルに対し、脚部１２の形状及び数量、さらには筒部２２の形状及び数量が変更された形態であるため、第二実施形態では、これらの変更点について詳細に説明する。そして、第二実施形態におけるバックルの構成のうち第一実施形態と同様な構成には、該構成に同じ符号を付して説明する。
【００６３】
図３の下側に示されるように、平面視方向から見てＴ字形状をなす雄部材１０では、該雄部材１０の基部である雄側基部１１が、幅方向に延びる矩形環状に形成されている。雄側基部１１の幅方向における左側には、一つの脚部１２ａが挿入方向に突設されている。この脚部１２ａにおける基端部１３ａは、雄側基部１１の幅方向における中央から挿入方向に延びる柱状に形成されている。また、基端部１３ａにおける挿入方向の端部には、該挿入方向の端部から雄側基部１１に向けて折り返された第二ヒンジ部１３ｂを介し、雄側基部１１における幅方向の左端に向けて延びる柱状の先端部１４ａが連結されている。この先端部１４ａにおける挿入方向の途中と雄側基部１１との間には、幅方向における肉厚が相対的に小さく可撓性を有した連結部１４ｂが連結されている。
【００６４】
そして、先端部１４ａから基端部１３ａに向けて幅方向の押圧力が先端部１４ａに加えられると、第二ヒンジ部１３ｂと連結部１４ｂとが撓曲して、先端部１４ａが基端部１３ａに近づけられる。一方、この状態から上記押圧力が取り除かれると、第二ヒンジ部１３ｂと連結部１４ｂとが有する弾性力によって先端部１４ａが基端部１３ａから遠ざかり、上記押圧力が加えられる前の状態に雄部材１０の形状が戻る。
【００６５】
先端部１４ａの先端には、挿入方向とは反対方向に先細りした被係止突起１５ａが形成されている。また、雄側基部１１における挿入方向の端面うち、連結部１４ｂの左側には、上記被係止突起１５ａと互いに向かい合うように、雄側基部１１から挿入方向に向けてガイド突起１６ａが突設されている。このガイド突起１６ａにおける挿入方向の先端と基端部１３ａにおける右側面との距離は、嵌合幅Ｗｆであって、基端部１３ａにおける右側面と被係止突起１５ａとの距離である係止幅Ｗｍよりも小さい。
【００６６】
図３の上側に示されるように、並設基部としての雌側基部２１の幅方向における左側には、挿入方向とは反対の方向に並設部を構成する筒部２２Ａが延設されている。また、雌側基部２１の幅方向における右側には、これもまた挿入方向とは反対の方向に延びる並設部を構成する外壁である延設部２２Ｂが、筒部２２Ａに並設されている。これら２２Ａと延設部２２Ｂとの間には、筒部２２Ａと延設部２２Ｂとを互いに連結する壁である底面壁２６ａが、紙面奥側に架設されている。そして、雌部材２０の幅方向における右側には、これら筒部２２Ａと延設部２２Ｂと底面壁２６とによって区画された収納凹部Ｓが形成されている。
【００６７】
収納凹部Ｓを囲う側壁のうち、幅方向で互いに向かい合う一対の側壁には、幅方向に延びる回動軸２７Ａが連結されている。また、収納凹部Ｓを囲う一対の側壁のうち、回動軸２７Ａの雌側基部２１側には、紙面の手前側から奥側に延びる切欠きである左右一対のホイッスル係止部２８ａが、収納凹部Ｓの深さ方向に並設されている。なお、紙面と直交する方向では、上記回動軸２７Ａは、上記収納凹部Ｓの略中央に形成される一方、左右一対のホイッスル係止部２８ａは、上記収納凹部Ｓにおける略中央を挟んで紙面手前側と紙面奥側とに形成されている。
【００６８】
一方、筒部２２Ａには、上記脚部１２ａの挿脱可能な矩形孔状の脚部挿脱孔２３ａが、挿入方向に沿って延設されている。脚部挿脱孔２３ａにおける幅方向の大きさは、上述した嵌合幅Ｗｆと等しく、脚部挿脱孔２３ａは、上記基端部１３ａがガイド突起１６ａ共々嵌脱可能な大きさである。また、脚部挿脱孔２３ａにおける収納凹部Ｓ側には、挿入方向に延びるガイド溝２４ｂが、脚部挿脱孔２３ａにおける挿入方向の全体にわたり凹設されている。また、筒部２２Ａでは、該筒部２２Ａにおける挿入方向の中央が、幅方向の右側に括れており、筒部２２Ａの外側と脚部挿脱孔２３ａ内と連通する係止孔２４ａが、該括れた部分に貫通している。また、雌側基部２１における筒部２２Ａの左側には、上記係止孔２４ａの全体が覆われるように、挿入方向とは反対方向に向けて延びる片持ち梁状の連結解除レバー２２Ｐが延設されている。
【００６９】
そして、上記脚部１２ａが脚部挿脱孔２３ａに対して挿入方向に差し込まれると、脚部１２ａの基端部１３ａがガイド溝２４ｂによって挿入方向に案内されるとともに、脚部１２ａの先端部１４ａが、幅方向の内側に撓みつつ脚部挿脱孔２３内を挿入方向に移動する。その後、脚部１２ａの被係止突起１５ａが係止孔２４ａに到達すると、脚部１２ａの先端部１４ａが、幅方向の外側に戻り、脚部１２ａの被係止突起１５ａと係止孔２４ａの開口縁２５ａとが係合する。これにより、雄部材１０における挿入方向とは反対方向への移動が係止され、雄部材１０と雌部材２０とが互いにロックされる。そして、こうしたロック状態から、連結解除レバー２２Ｐが幅方向の内側に押圧されて、被係止突起１５ａが脚部挿脱孔２３内に押し戻されると、雄部材１０と雌部材２０とのロックが解除され、脚部１２が脚部挿脱孔２３から引き抜き可能になる。
【００７０】
雌部材２０が有する収納凹部Ｓ内には、筒部２２Ａの延設方向である挿入方向に延びるホイッスル部材３０が組み付けられている。ホイッスル部材３０は、筒部２２Ａ及び延設部２２Ｂと互いに異なる色彩を有して挿入方向に延びる直方体形状の有底筒体であって、挿入方向とは反対方向の端である先端で閉塞されている。また、ホイッスル部材３０における挿入方向の端壁である基端壁には、挿入方向に延びる吹き込み口３４が貫通している。ホイッスル部材３０の挿入方向における大きさは、収納凹部Ｓの挿入方向における大きさよりも若干小さく、またホイッスル部材３０の幅方向における大きさは、収納凹部Ｓの幅方向における大きさよりも若干小さい。
【００７１】
ホイッスル部材３０における左右両側壁の先端には、上記回動軸２７Ａを軸支する左右一対の軸支孔３１Ｈが、互いに向かい合うように貫通している。そして、ホイッスル部材３０は、筒部２２Ａと延設部２２Ｂとの並設方向である幅方向と平行な回動中心線を有し、これら筒部２２Ａと延設部２２Ｂとの間で回動可能に雌部材２０に支持されている。ホイッスル部材３０の吹き込み口３４は、こうしたホイッスル部材３０の回動によって、筒部２２Ａと延設部２２Ｂとの間に収まって雌側基部２１と互いに向い合う収納状態と、筒部２２Ａと延設部２２Ｂとの間の外側に突出する突出状態とに切り替る。
【００７２】
ホイッスル部材３０における左右両側壁のうち、左右一対の軸支孔３１Ｈの雌側基部２１側には、幅方向に延びる板状をなす左右一対の被係止部３２が突設されている。そして、ホイッスル部材３０が収納状態にあるときには、ホイッスル係止部２８ａと被係止部３２とが係合する。これに対し、突出状態のホイッスル部材３０が収納状態に移行する際には、ホイッスル係止部２８ａと被係止部３２との係合に必要とされる負荷により、ホイッスル部材３０が収納状態であるか否かを利用者に認知させることが可能となる。
【００７３】
ホイッスル部材３０は、上記収納状態において筒部２２Ａと延設部２２Ｂとの隙間から露出する外表面に、筒部２２の表面形状、及び延設部２２Ｂの表面形状に倣う形状を有している。そして、ホイッスル部材３０が収納状態にあるときには、ホイッスル部材３０の外表面のうち、回動操作レバー３３が形成された部分が、筒部２２Ａの外表面や延設部２２Ｂから突出することになる。これにより、ホイッスル部材３０が収納状態にあるときには、筒部２２Ａと回動操作レバー３３との段差や延設部２２Ｂと回動操作レバー３３との段差の触感により、回動操作レバー３３の所在を利用者に認知させることが可能となる。
【００７４】
次に、上記構成からなるバックルの作用について図４を参照して説明する。なお、上記収納状態におけるバックルの作用と突出状態におけるバックルの作用とをこの順に説明する。
【００７５】
図４（ａ）に示されるように、まず、上述した収納状態では、ホイッスル部材３０の被係止部３２と雌部材２０のホイッスル係止部２８ａとの係合によって、ホイッスル部材３０の回動が係止されている。また、雄部材１０と雌部材２０とが連結されていることによって、回動操作レバー３３の回動が雄側基部１１によって規制されている。それゆえに、雄部材１０と雌部材２０との連結が解除され、且つ被係止部３２とホイッスル係止部２８ａとの係合が解除されるまでは、筒部２２Ａと延設部２２Ｂとの間に吹き込み口３４が保持されることになる。この際、吹き込み口３４が筒部２２Ａと延設部２２Ｂとで覆われる分、ホイッスル部材３０の利用に際して衛生面が高められる。しかも、吹き込み口３４が雌側基部２１に向けて開口するため、吹き込み口３４の周囲が雌側基部２１にも囲まれることとなる。その結果、吹き込み口３４に異物が付着することが、より効果的に抑えられる。
【００７６】
そして、被災時や緊急時などでホイッスル部材３０が使用されるとき、まず、連結解除レバー２２Ｐが係止孔２４ａに向けて押圧され、これにより、被係止突起１５ａが脚部挿脱孔２３内に押し戻されて、雄部材１０と雌部材２０とのロックが解除される。次いで、脚部１２が脚部挿脱孔２３から引き抜かれることによって、雄部材１０と雌部材２０との連結が解除される。続いて、この状態から、回動操作レバー３３が押圧されると、上記回動中心線がホイッスル部材３０の回動中心となるように、該回動操作レバー３３に作用する作用力がホイッスル部材３０の回動力に変換される。そして、上記被係止部３２と上記ホイッスル係止部２８ａとの係合が回動力によって解除され、図４（ｂ）に示されるように、吹き込み口３４が筒部２２Ａと延設部２２Ｂとの間から突出する。
【００７７】
最後に、ホイッスル部材３０の使用が終了すると、上述のような突出状態からホイッスル部材３０が収納凹部Ｓに向けて押圧される。これにより、上記回動中心線がホイッスル部材３０の回動中心となるように、該ホイッスル部材３０に作用する作用力がホイッスル部材３０の回動力に変換される。そして、上記被係止部３２と上記ホイッスル係止部２８ａとの係合が回動力によって実現され、ホイッスル部材３０が収納状態となる。
【００７８】
以上説明したように、第二実施形態によれば以下に列記するような効果が得られるようになる。
（１０）突出状態では、吹き込み口３４が筒部２２Ａと延設部２２Ｂとの間から突出する一方、収納状態では、吹き込み口３４が筒部２２Ａと延設部２２Ｂと間に収まることになる。それゆえに、ホイッスル部材３０が使用されないときには、吹き込み口３４が筒部２２Ａと延設部２２Ｂとで覆われる分、ホイッスル部材３０の利用に際して吹き込み口３４の衛生面を高めることが可能となる。
【００７９】
（１１）雄部材１０と雌部材２０との連結が解除され、且つ被係止部３２とホイッスル係止部２８ａとの係合が解除されるまでは、筒部２２Ａと延設部２２Ｂとの間に吹き込み口３４が保持されることになる。このような構成であれば、被係止部３２とホイッスル係止部２８ａとの係合に加え、雄部材１０と雌部材２０との連結によっても、ホイッスル部材３０の回動が抑えられるため、さらに高い確率で上記（１）〜（１０）の効果を得ることが可能である。
【００８０】
（１２）筒部２２Ａ及び延設部２２Ｂとホイッスル部材３０との境界が、色彩によって視認することが可能であるため、ホイッスル部材３０の利用に際して、ホイッスル部材３０の視認性を高めること、ひいてはホイッスル部材３０を操作することが容易なものとなる。
【００８１】
（１３）筒部２２Ａと延設部２２Ｂとの間におけるホイッスル部材３０の外表面が、筒部２２Ａの表面形状と延設部２２Ｂの表面形状とに倣うかたちに形成されている。そのため、筒部２２Ａとホイッスル部材３０との間に異物が入り込むこと、延設部２２Ｂとホイッスル部材３０との間に異物が入り込むこと、これらを抑えることが可能である。
【００８２】
なお、上記第一実施形態と第二実施形態の各々は、以下のように変更して実施することもできる。
・収納状態において収納凹部Ｓから露出するホイッスル部材３０の外表面は、並設部の表面形状と互いに異なる形状であってもよい。このような構成であっても、上記（１）〜（８）、（１０）〜（１２）に準じた効果を得ることは可能である。
【００８３】
・ホイッスル部材３０は、並設部と同じ色彩であって、且つ互いに異なる模様を有する構成であってもよく、あるいは互いに異なる色彩と互いに異なる模様とを有する構成であってもよい。このような構成であっても、上記（１）〜（８）、（１０）〜（１２）に準じた効果を得ることが可能である。また、ホイッスル部材３０は、並設部と同じ色彩であって、且つ同じ模様であってもよい。このような構成であっても、上記（１）〜（７）、（１０）、（１１）に準じた効果を得ることは可能である。
【００８４】
・第一実施形態におけるホイッスル係止部２８と被係止部３２とは、互いが係合することによって、ホイッスル部材３０の回動を係止することの可能な形状であればよく、例えば、第二実施形態と同様に、ホイッスル係止部２８が凹部であって、被係止部３２が凸部であってもよい。さらに、各実施形態におけるホイッスル係止部２８，２８ａと被係止部３２とは、互いが係合することによって、ホイッスル部材３０の回動を係止することの可能な形状であればよく、例えばホイッスル係止部２８，２８ａが凸部であって、被係止部３２が凹部であってもよく、これらの数量が２以上であってもよい。なお、ホイッスル係止部２８，２８ａと被係止部３２とが割愛される構成であってもよい。このような構成であっても、上記（１）〜（６）、（１０）、（１１）に準じた効果を得ることは可能であって、ホイッスル部材３０の外観構造や収納凹部Ｓの内部構造を簡素化できるという観点においては優れている。
【００８５】
・第一実施形態では、雄側基部１１と回動操作レバー３３とが回動操作レバー３３の回動で互いに干渉しない構造、あるいは回動操作レバー３３が割愛される構成であれば、逃げ凹部１１Ｂが割愛される構成であってもよい。要は、ホイッスル部材３０が回動中心線を中心に回動し、吹き込み口３４が収納状態と突出状態との間で切り替ることの可能な構成であればよい。このような構成であっても、上記（１）〜（５）に準じた効果を得ることは可能であって、ホイッスル部材３０の外観構造や雄部材１０の外観構造を簡素化できるという観点においては優れている。なお、単に、逃げ凹部１１Ｂが割愛される構成であれば、上記（１１）に準じた効果を得ることが可能である。
【００８６】
・ホイッスル部材３０の先端に吹き込み口３４が形成されるとともに、ホイッスル部材３０の基端に回動中心線が形成される構成であってもよい。このような構成であっても、上記（１）〜（５）、（１０）、（１１）に準じた効果を得ることは可能である。あるいは、ホイッスル部材３０の長手方向における中央に回動中心線が配置される構成であってもよい。要は、ホイッスル部材３０が回動中心線を中心に収納凹部Ｓで回動し、吹き込み口３４が収納状態と突出状態との間で切り替ることの可能な構成であればよい。このような構成であっても、上記（１）〜（４）、（１０）、（１１）に準じた効果を得ることは可能である。
【００８７】
・吹き出し口３５は、ホイッスル部材３０の右側壁や左側壁、あるいは上面壁に形成されてもよく、要は、ホイッスル部材３０に吹き込まれる空気が、突出状態で吹き出し可能な部位に形成される構成であればよい。このような構成であっても、上記（１）〜（３）、（１０）、（１１）に準じた効果を得ることは可能である。
【００８８】
・底面壁２６が割愛される構成であってもよく、このような構成であっても、上記（１）、（２）、（１０）、（１１）に準じた効果を得ることは可能であって、雌部材２０の軽量化を図ることができるという観点においては優れている。
【００８９】
・吹き込み口３４は、ホイッスル部材３０の右側壁、あるいは左側壁に形成されてもよく、要は、ホイッスル部材３０が回動中心線を中心に回動し、吹き込み口３４が収納状態と突出状態との間で切り替ることの可能な構成であればよい。このような構成であっても、上記（１）、（１０）、（１１）に準じた効果を得ることは可能である。
【００９０】
・並設部の並設方向と平行な一対の軸支孔が雄側基部１１に設けられ、該軸支孔に支持される回動軸がホイッスル部材３０に設けられる構成であってもよい。また、並設部の並設方向と平行な回動軸が雄側基部１１に設けられ、該回動軸を支持する軸支孔がホイッスル部材３０に設けられる構成であってもよい。要は、並設部の並設方向と平行な回動中心線を有するホイッスル部材３０が、雄部材１０と雌部材２０のいずれか一方である支持対象に、並設部の間で回動可能に支持される構成であればよい。
【００９１】
・上述したバックルは、雄部材と雌部材とから構成されるバックルに限らず、紐状体が挿通可能な少なくとも一つの紐状体挿通部を有する構成であればよい。
例えば、図５に示されるように、上述したバックルは、紐状体が挿通される三つの紐状体挿通部Ｈを有したトリグライドバックル４１に具体化することも可能である。詳述すると、トリグライドバックル４１には、一つの方向に延びる楕円形状をなす一つの紐状体挿通部Ｈの一側に、該紐状体挿通部Ｈの延設方向と互いに直交する一対の紐状体挿通部Ｈの基端が連結されている。この一対の紐状体挿通部Ｈの先端には、前記延設方向に沿って延びる板状をなす一対の並設部４１ａが連結されている。これら互いに向かい合う一対の並設部４１ａの隙間である収納凹部Ｓには、一対の並設部４１ａの並設方向と互いに平行な回動中心線Ａを有するホイッスル部材３０が、収納凹部Ｓで回動可能に支持されている。
【００９２】
また、図６に示されるように、上述したバックルは、紐状体が挿通される一つの紐状体挿通部Ｈを有したリングバックル４２に具体化することも可能である。詳述すると、リングバックル４２では、Ｄ字状をなす紐状体挿通部Ｈの直線部分が、一つの並設部４２ａを構成するとともに、該並設部４２ａと互いに平行な板状をなす他の並設部４２ａが、紐状体挿通部Ｈに連結されている。そして、一対の並設部４２ａの隙間である収納凹部Ｓには、一対の並設部４２ａの並設方向と互いに平行な回動中心線Ａを有するホイッスル部材３０が、収納凹部Ｓで回動可能に支持されている。
【００９３】
また、図７に示されるように、上述したバックルは、紐状体が挿通される三つの紐状体挿通部Ｈを有したラダーバックル４３に具体化することも可能である。詳述すると、ラダーバックル４３では、矩形環状をなす三つの紐状体挿通部Ｈと、該紐状体挿通部Ｈの延設方向に沿って延びる板状をなす一対の並設部４３ａとが、該延設方向と互いに直交する方向に沿って順に連結されている。そして、一対の並設部４３ａの隙間である収納凹部Ｓには、一対の並設部４３ａの並設方向と互いに平行な回動中心線Ａを有するホイッスル部材３０が、収納凹部Ｓで回動可能に支持されている。
【００９４】
上述したトリグライドバックル４１、リングバックル４２、及びラダーバックル４３においても、ホイッスル部材３０の吹き込み口３４は、ホイッスル部材３０の回動によって、収納凹部Ｓに収まる収納状態と収納凹部Ｓの外側に突出する突出状態とに切り替る。それゆえに、上記（１）に準じた効果を得ることが可能である。
【００９５】
また、図８に示されるように、上述したバックルは、紐状体が挿通される一つの紐状体挿通部Ｈを有したコードロックバックル４４に具体化することも可能である。詳述すると、コードロックバックル４４では、挿通された紐状体をロックするための矩形筒状をなす紐状体挿通部Ｈの先端部に、該紐状体挿通部Ｈの延設方向に沿って延びる板状の一対の並設部４４ａが連結されている。そして、一対の並設部４３ａの隙間である収納凹部Ｓには、一対の並設部４３ａの並設方向と互いに平行な回動中心線Ａを有するホイッスル部材３０が、収納凹部Ｓで回動可能に支持されている。
【００９６】
また、図９に示されるように、上述したバックルは、紐状体が挿通される一つの紐状体挿通部Ｈを有したコードストッパバックル４５に具体化することも可能である。詳述すると、コードストッパバックル４５では、挿通された紐状体を抜き出し不能にする筒状をなす紐状体挿通部Ｈの先端部に、該紐状体挿通部Ｈの延設方向に沿って延びる板状をなす一対の並設部４５ａが連結されている。そして、一対の並設部４５ａの隙間である収納凹部Ｓには、一対の並設部４５ａの並設方向と互いに平行な回動中心線Ａを有するホイッスル部材３０が、収納凹部Ｓで回動可能に支持されている。
【００９７】
また、図１０に示されるように、上述したバックルは、紐状体が挿通される一つの紐状体挿通部Ｈを有したフックバックル４６に具体化することも可能である。詳述すると、フックバックル４６では、紐状体が挿通される環状をなす紐状体挿通部Ｈの一部に、鉤状をなすフックが連結されるとともに、該フックにおける紐状体挿通部Ｈ側の一端部が、互いに平行な板状をなす一対の並設部４６ａで構成されている。そして、一対の並設部４６ａの隙間である収納凹部Ｓには、一対の並設部４６ａの並設方向と互いに平行な回動中心線Ａを有するホイッスル部材３０が、収納凹部Ｓで回動可能に支持されている。
【００９８】
上述したコードロックバックル４４、コードストッパバックル４５、及びフックバックル４６においても、ホイッスル部材３０の吹き込み口３４は、ホイッスル部材３０の回動によって、収納凹部Ｓに収まる収納状態と収納凹部Ｓの外側に突出する突出状態とに切り替る。それゆえに、上記（１）に準じた効果を得ることが可能である。
【符号の説明】
【００９９】
Ａ…回動中心線、Ｈ…紐状体挿通部、Ｋ…ベルト、Ｓ…収納凹部、Ｗ…嵌合幅、１０…雄部材、１２…脚部、１１…雄側基部、１１ａ…操作凹部、１１Ｂ…逃げ凹部、１１Ｈ…雄側スリット、１２，１２ａ…脚部、１３…第一ヒンジ部、１３ｂ…第二ヒンジ部、１４，１４ａ…先端部、１５，１５ａ…被係止突起、１６，１６ａ…ガイド突起、２０…雌部材、２１…雌側基部、２１Ｈ…スリット、２２，２２Ａ…筒部、２２Ｂ…延設部、２３，２３ａ…脚部挿脱孔、２４，２４ａ…係止孔、２５，２５ａ…開口縁、２６，２６ａ…底面壁、２７，３１Ｈ…軸支孔、２７ａ，３１…回動軸、２８，２８ａ…ホイッスル係止部、３０…ホイッスル部材、３２…被係止部、３３…回動操作レバー、３４…吹き込み口、３５…吹き出し口、４１ａ，４２ａ，４３ａ，４４ａ，４５ａ，４６ａ…並設部、５０…雄部材、５１…雄側基部、５２…脚部、６０…雌部材、６１…挿脱孔、６２…係止孔、６３…ホイッスル。
【図１】
0005852801.tif 000002
【図２】
0005852801.tif 000003
【図３】
0005852801.tif 000004
【図４】
0005852801.tif 000005
【図５】
0005852801.tif 000006
【図６】
0005852801.tif 000007
【図７】
0005852801.tif 000008
【図８】
0005852801.tif 000009
【図９】
0005852801.tif 000010
【図１０】
0005852801.tif 000011
【図１１】
0005852801.tif 000012